(57)【要約】【課題】  物品を包装する包装材を構成する紙質シートの巻き癖を解消し、突き上げ包装による不良品の発生を抑制することができる包装材及び包装材原反を提供することを課題とする。【解決手段】  一方の面にヒートシール性を有し、且つ、長尺状に形成されてロール状に巻き回された紙質シート原反Ｓが切断されて形成された紙質シートを用いて構成される包装材１であって、前記紙質シートが物品を包装すべく面状に形成されたシート本体２と、前記紙質シートが帯状に形成された一対の帯状部３とを備え、前記シート本体２の一方向と帯状部３の長手方向とが、紙質シート原反Ｓの長手方向に相当するように構成されると共に、前記帯状部３は、シート本体２とヒートシール性を有する一方の面同士を対峙させた状態で、シート本体２の一方向に略直行する他方向の両端縁部に前記一方向に略平行するように貼着されることを特徴とする。【選択図】図１
2010042842.tif 000002
【特許請求の範囲】
【請求項１】
一方の面にヒートシール性を有し、且つ、長尺状に形成されてロール状に巻き回された紙質シート原反が切断されて形成された紙質シートを用いて構成される包装材であって、
前記紙質シートが物品を包装すべく面状に形成されたシート本体と、前記紙質シートが帯状に形成された一対の帯状部とを備え、
前記シート本体の一方向と帯状部の長手方向とが、紙質シート原反の長手方向に相当するように構成されると共に、前記帯状部は、シート本体とヒートシール性を有する一方の面同士を対峙させた状態で、シート本体の一方向に略直行する他方向の両端縁部に前記一方向に略平行するように貼着されることを特徴とする包装材。
【請求項２】
前記シート本体のヒートシール性を有する一方の面に備えられ、且つ、前記一対の帯状部の略中央に配置されてシート本体の一方向に延びる開封用条体と、該開封用条体が切断されると共に、前記シート本体が切り込まれて形成された把持片とを備えると共に、該把持片を覆うようにシート本体の一方の面に貼着された保護シートを備えることを特徴とする請求項１に記載の包装材。
【請求項３】
前記帯状部は、ヒートシール性を有する一方の面と他方の面とを貫通する複数の貫通孔を備えることを特徴とする請求項１又は２に記載の包装材。
【請求項４】
請求項１乃至３のいずれか１つに記載の包装材を作製するための包装材原反であって、複数の包装材が帯状部の長手方向に連続的に連なって長尺状に形成されてなることを特徴とする包装材原反。
【発明の詳細な説明】
【技術分野】
【０００１】
本発明は、物品を包装する包装材及び包装材原反に関し、詳しくは、一方の面にヒートシール性を有し、且つ、長尺状に形成されてロール状に巻き回された紙質シート原反が切断されて形成された紙質シートを用いて構成される包装材及び包装材原反に関する。
【背景技術】
【０００２】
従来から、物品を包装する包装形態として、物品を包装可能に面状に形成された包装材を物品の形状に沿わせて変形させ、物品を包み込むように包装する包装形態が知られている。具体的には、面状に形成された包装材の一方の面の略中央に、下方から塊状の物品（おにぎりやハンバーガーなど）を押し当てつつ、物品の形状に沿わせて包装材を変形させると共に、包装材の端部を集束させ、集束した端部に粘着シール等を貼着して物品を包装する形態（いわゆる、突き上げ包装）が知られている（特許文献１参照）。かかる包装形態では、包装材の端部は、集束されて重なり合った状態となっており、重なり合う領域がヒートシールされて仮止めがされている。
【０００３】
かかる包装形態において用いられる包装材は、上述したように、物品の形状に合わせて変形し得る柔軟性を有し、また、物品を包装した際に、端部を仮止めするために一方の面にヒートシール性を有するものが用いられている。特に、一方の面に樹脂をコーティングするなどしてヒートシール性を持たせた紙質シート（特許文献１参照）は、物品を包装した際の意匠性に優れ、高級感があることから、需要が拡大されている。
【特許文献１】特開２００３−３４１７１５号公報
【０００４】
しかしながら、紙質シートは、長尺状に形成されて、ヒートシール性を有する面（以下、ヒートシール面と記す）が内側となるようにロール状に巻き回された紙質シート原反から切断されて形成されるものであり、且つ、ヒートシール面にコーティングされた樹脂が収縮する傾向を有するため、紙質シートは、ヒートシール面が凹状となるように巻き癖を有することとなる。より詳しくは、紙質シートは、ヒートシール面が凹状となるように紙質シート原反の長手方向に相当する一方向に巻き癖を有している。
【０００５】
一方、上記の突き上げ包装をする際には、包装材は、ヒートシール面を下方にした状態で配置され、下方からヒートシール面に物品が押し当てられて変形し、物品がヒートシール面によって包み込まれるように包装される。このため、上記のように、紙質シートが巻き癖を有していると、包装材の端部、特に、紙質シート原反の長手方向に相当する一方向の端部が、物品を包装する過程で、ヒートシール面側、つまりは、物品を包装した状態の内側に巻き込まれてしまい、端部を上手く集束させることができなくなってしまう。このため、端部が集束した部分から物品が露出してしまったり、仮止めの不良が生じてしまったり等、不良品を発生させる要因となっている。
【発明の開示】
【発明が解決しようとする課題】
【０００６】
そこで、本発明は、物品を包装する包装材を構成する紙質シートの巻き癖を解消し、突き上げ包装によって、包装材の端部が物品を包装した状態の内側に巻き込まれてしまうことを防ぐことで、不良品の発生を抑制することができる包装材及び包装材原反を提供することを課題とする。
【課題を解決するための手段】
【０００７】
本発明にかかる包装材は、一方の面にヒートシール性を有し、且つ、長尺状に形成されてロール状に巻き回された紙質シート原反が切断されて形成された紙質シートを用いて構成される包装材であって、前記紙質シートが物品を包装すべく面状に形成されたシート本体と、前記紙質シートが帯状に形成された一対の帯状部とを備え、前記シート本体の一方向と帯状部の長手方向とが、紙質シート原反の長手方向に相当するように構成されると共に、前記帯状部は、シート本体とヒートシール性を有する一方の面同士を対峙させた状態で、シート本体の一方向に略直行する他方向の両端縁部に前記一方向に略平行するように貼着されることを特徴とする。
【０００８】
かかる構成の包装材によれば、シート本体と帯状部とが紙質シートから構成され、その長手方向が、紙質シート原反の長手方向に相当するように形成されると共に、前記帯状部が、シート本体とヒートシール性を有する一方の面同士を対峙させた状態で、シート本体の一方向に略直行する他方向の両端縁部に前記一方向に略平行するように貼着されることで、シート本体を構成する紙質シートの巻き癖と帯状部を構成する紙質シートの巻き癖とが相反した状態となるため、紙質シートが持つ巻き癖を解消することができる。
【０００９】
具体的には、ヒートシール面にコーティングされた樹脂が収縮する影響と、紙質シート原反がヒートシール面を内側にして巻き回されている影響とから、紙質シートは、ヒートシール面が凹状となるように、紙質シート原反の長手方向に相当する一方向の巻き癖を有することとなる。従って、該紙質シートから構成されるシート本体と帯状部とは、ヒートシール面が凹状となるように巻き癖を有すると共に、紙質シート原反の長手方向に相当するシート本体の一方向と帯状部の長手方向との巻き癖を有することとなる。
【００１０】
このため、帯状部が、シート本体にヒートシール面同士を対峙させ、シート本体の一方向にその長手方向が略平行するようにしてシート本体に貼着されることで、シート本体の巻き癖と帯状部の巻き癖とが相反した状態となるため、シート本体の巻き癖を解消することができる。
【００１１】
また、本発明にかかる包装材は、前記シート本体のヒートシール性を有する一方の面に備えられ、且つ、前記一対の帯状部の略中央に配置されてシート本体の一方向に延びる開封用条体と、該開封用条体が切断されると共に、前記シート本体が切り込まれて形成された把持片とを備えると共に、該把持片を覆うようにシート本体の一方の面に貼着された保護シートを備えることが好ましい。
【００１２】
かかる構成の包装材によれば、物品を包装した状態で把持片を引上げ、開封用条体に沿って把持片を移動させてシート本体を切断することができる。このため、突き上げ包装によって物品を包装した場合にも、包装材を切断して容易に物品を取り出すことができる。
【００１３】
また、開封用条体が一対の帯状部の略中央に配置されることで、包装材が帯状部の長手方向に連なって長尺状に形成された包装材原反となってロール状に巻き回された際にも、ロール状となった包装材原反の両端部（帯状部が貼着された領域）と中央部（開封用条体が貼着された領域）との厚みが略等しくなるため、ロール状の包装材原反が巻き崩れてしまうことを抑制することができる。
【００１４】
また、本発明にかかる包装材は、前記帯状部が、ヒートシール性を有する一方の面と他方の面とを貫通する複数の貫通孔を備えることが好ましい。
【００１５】
かかる構成の包装材によれば、帯状部が複数の貫通孔を備えることで、貫通孔からシート本体のヒートシール面が露出する。そして、この露出したヒートシール面は、物品を突き上げ包装する際に、包装材の端部が集束されて重なり合うことによって、シート本体のヒートシール面ではない他方の面と対峙することとなる。該他方の面は、上述したように、弱いヒートシール性を有するため、集束した端部をヒートシールによって仮止めすることができる。
【００１６】
また、本発明にかかる包装材原反は、上記包装材を作製するための包装材原反であって、複数の包装材が帯状部の長手方向に連続的に連なって長尺状に形成されてなることを特徴とする。
【００１７】
かかる構成の包装材原反によれば、その長手方向にロール状に巻き回した状態で保管することができる。また、ロール状の包装材原反を長手方向に送り出しつつ所定のサイズに連続的に切断し、包装材を作製することができるので、突き上げ包装を行なう際にも連続的に包装を行なうことができ、生産効率を向上させることができる。
【発明の効果】
【００１８】
以上のように、本発明によれば、物品を包装する包装材を構成する紙質シートの巻き癖を解消し、突き上げ包装によって、包装材の端部が物品を包装した状態の内側に巻き込まれてしまうことを防ぐことで、不良品の発生を抑制することができる。
【発明を実施するための最良の形態】
【００１９】
以下、本発明の実施形態について図１を参照しながら説明する。
【００２０】
まず初めに、本実施形態にかかる包装材１の説明に先立って、包装材１を構成する紙質シートについて説明する。該紙質シートは、一方の面にヒートシール性を有するものである。具体的には、紙質シートは、レーヨン紙や和紙等が面状に形成され、一方の面に樹脂がコーティングされたものが用いられている。そして、樹脂がコーティングされた面がヒートシール性を有する面（以下、ヒートシール面Ｈと記す）となる。なお、紙質シートの一方の面にコーティングされた樹脂は、一方の面から他方の面へ浸透し、他方の面の表面にも若干染み出た状態となるため、紙質シートの他方の面は、弱いヒートシール性を有する面となっている。
【００２１】
また、紙質シートは、長尺状に形成されてロール状に巻き回された紙質シート原反Ｓが切断されて形成されるものである。該紙質シート原反Ｓは、長尺状に形成された紙質シートのヒートシール面Ｈが内側となるように巻き回されて構成されている。また、紙質シート原反Ｓは、長手方向に沿って引き裂き特性（スキ目）を備えるものである。
【００２２】
次に、本実施形態にかかる包装材１の特徴的な部分について説明する。本実施形態にかかる包装材１は、紙質シートが物品を包装すべく面状に形成されたシート本体２と、前記紙質シートが帯状に形成された一対の帯状部３とを備えるものである。
【００２３】
シート本体２は、全体として一枚の紙質シートから構成され、平面視四角形状に形成されている。また、シート本体２は、包装する物品の形状や大きさに対応するように、平面視において長方形状、正方形状、あるいは台形状等の四角形状に形成されるが、本実施形態においては、平面視略長方形状に形成され、物品の形状に沿わせて変形させた際に、物品を包み込むことができるサイズに設定されている。
【００２４】
また、シート本体２は、その一方向が紙質シート原反Ｓの長手方向に相当するように構成される。具体的には、シート本体２は、紙質シート原反Ｓがその長手方向に略直行する幅方向の切断線で切断されて形成された紙質シートから構成され、該切断線に略直行する一方向が紙質シート原反Ｓの長手方向に相当するように構成されている。本実施形態では、シート本体２は、長方形状に形成されているため、その短手方向の両端縁部に平行する一方向（長手方向）が紙質シート原反Ｓの長手方向に相当するように構成されている。
【００２５】
また、シート本体２は、一方の面に紙質シートのヒートシール面Ｈを備えるように構成される。また、シート本体２は、一方の面（ヒートシール面Ｈ）が物品を包み込む面（物品を包装した状態の内面）となるように構成されている。また、シート本体２は、ヒートシール性を有さない他方の面（物品を包装した状態の外面）に製品名や品質表示等の各種情報が印刷されている。
【００２６】
帯状部３は、帯状に形成された紙質シートから構成される。具体的には、帯状部３は、シート本体２の一方向の両端間の長さに略等しい長手方向の長さを有する。本実施形態では、シート本体２が略長方形状に形成されているため、帯状部３の長手方向は、シート本体２の長手方向の長さと略等しい長さとなっている。また、帯状部３の長手方向は、紙質シート原反Ｓの長手方向に相当するように構成される。また、帯状部３の幅方向の長さは、３〜３０ｍｍ程度であることが好ましい。より好ましくは、１０〜２０ｍｍ程度であることがよい。また、帯状部３は、一方の面に紙質シートのヒートシール面Ｈを備えるように構成されている。
【００２７】
また、帯状部３は、シート本体２の対向する両端縁部のヒートシール面Ｈ側に一対備えられる。具体的には、一対の帯状部３は、シート本体２とヒートシール面Ｈ同士を対峙させた状態で、シート本体２の一方向に略直行する他方向の両端縁部に、前記一方向に略平行するように貼着されている。本実施形態では、シート本体２は、略長方形状に形成されているので、一対の帯状部３は、シート本体２の短手方向の両端縁部に沿って互いに平行するように配置され、ヒートシールされて貼着されている。
【００２８】
また、帯状部３は、シート本体２と一体的に構成される。具体的には、帯状部３は、紙質シート原反Ｓから切断された紙質シートの一方向（紙質シート原反Ｓの長手方向に相当する方向）に延びる両端縁部がヒートシール面Ｈ側に折り返えされて形成される。この際、帯状部３となる領域以外の領域がシート本体２を形成することとなり、シート本体２と帯状部３とは、ヒートシール面同士を対峙させた状態で重なり合う。そして、帯状部３とシート本体２とが重なり合った領域がヒートシールされることで、帯状部３は、シート本体２に貼着される。本実施形態では、シート本体２が略長方形状であるため、帯状部３は、シート本体２の短手方向の両端縁部がヒートシール面Ｈ側に折り返されてヒートシールされることで、シート本体２の長手方向に帯状に延びるように構成されている。
【００２９】
また、帯状部３は、ヒートシール性を有する一方の面から他方の面に貫通する複数の貫通孔３ａを備える。該貫通孔３ａは、帯状部３の略全域に渡って設けられ、シート本体２のヒートシール面Ｈが貫通孔３ａから露出するように構成されている。
【００３０】
また、本実施形態にかかる包装材１は、包装された物品を取り出すべく、包装材１を開封する開封用条体４を備える。該開封用条体４は、所定幅の帯状に形成され、シート本体２の一方向の両端間の長さに略等しい長手方向の長さを有するものである。また、開封用条体４は、シート本体２のヒートシール性を有する一方の面に貼着されている。具体的には、開封用条体４は、一対の帯状部３の略中央（シート本体２の他方向の略中央）に配置され、シート本体２の一方向に沿って（紙質シート原反Ｓの長手方向に相当する方向に沿って）ヒートシールされて貼着されている。また、開封用条体４は、シート本体２とヒートシール可能な材質から構成され、例えば、シート本体２と同一の紙質シートや、樹脂フィルム等から構成されたものを用いることができる。
【００３１】
また、本実施形態にかかる包装材１は、物品を包装した状態で、開封用条体４を把持するための把持片５を備える。該把持片５は、シート本体２が切り込まれ、且つ、開封用条体４が切断されて形成されたものである。該把持片５は、少なくともシート本体２と開封用条体４とが重なりあう領域に設けられ、開封用条体４の延びる方向に引っ張ることで開封用条体４が包装材１を引き裂くように構成されている。また、把持片５は、包装材１が物品を包装した状態で、物品の端部近傍に位置するように設けられることが好ましい。このように構成されることで、把持片５を開封用条体４の延びる方向に引っ張ると、包装材１が広い範囲で切断され、大きく開封することができる。
【００３２】
また、本実施形態にかかる包装材１は、把持片５を形成する切れ込みから異物が混入するのを防止するための保護シート６を備えている。該保護シート６は、把持片５を覆うようにシート本体２の一方の面に貼着されている。保護シート６は、シート本体２とヒートシール可能な材質から構成され、例えば、シート本体２と同一の紙質シートや、樹脂フィルム等から構成されたものを用いることができる。
【００３３】
また、本実施形態にかかる包装材１は、複数の包装材１が帯状部３の長手方向に連続的に連なって長尺状に形成された包装材原反１０から作製される。該包装材原反１０は、図２に示すように、シート本体２のヒートシール面Ｈが内側となるように長手方向に巻き回されてロール状に形成されたものである。そして、包装材原反１０をその長手方向に直行する幅方向に、物品を包装可能なサイズで切断することで、包装材１が作製される。
【００３４】
以上のように本実施形態にかかる包装材１によれば、包装材１を構成する紙質シートの巻き癖を解消することができる。このため、突き上げ包装する際に、包装材１の端部が物品を包装した状態の内側に巻き込まれることを防ぐことができ、不良品の発生を抑制することができる。
【００３５】
即ち、本実施形態にかかる包装材１は、紙質シートから構成されたシート本体２と一対の帯状部３とを備え、シート本体２の一方向と帯状部３の長手方向とが、紙質シート原反Ｓの長手方向に相当するように構成されている。また、帯状部３が、シート本体２とヒートシール性を有する一方の面同士を対峙させた状態で、シート本体２の一方向に略直行する他方向の両端縁部に、前記一方向に略平行するように貼着されるように構成されている。以上の構成によって、シート本体２を構成する紙質シートの巻き癖と帯状部３を構成する紙質シートの巻き癖とが相反した状態でシート本体２と帯状部３とが貼着されるため、紙質シートが持つ巻き癖を解消することができる。
具体的には、紙質シート原反Ｓは、ヒートシール面にコーティングされた樹脂が収縮する傾向を有し、また、ヒートシール面Ｈが内側となるように長手方向に巻き回されているため、紙質シート原反Ｓから切断された紙質シートは、ヒートシール面Ｈが凹状となるように、紙質シート原反Ｓの長手方向に相当する一方向に巻き癖を有している。従って、図３（ａ）に示すように、シート本体２及び帯状部３は、貼着される前においては、共に紙質シート原反Ｓの長手方向に相当する方向に巻き癖を有するものである。
このため、シート本体２と帯状部３とが、ヒートシール面Ｈ同士を対峙させ、シート本体２の一方向と帯状部３の長手方向とが略平行するように貼着されると、図３（ｂ）に示すように、シート本体２の巻き癖と帯状部３の巻き癖とが相反した状態となってシート本体２及び帯状部３双方の巻き癖を解消することができる。
【００３６】
また、本実施形態にかかる包装材１は、開封用条体４と把持片５と保護シート６とを備えることで、物品を包装した状態で把持片５を引上げ、開封用条体４に沿って把持片５を移動させてシート本体２を切断することができる。このため、突き上げ包装によって物品を包装した場合にも、包装材１を切断して容易に物品を取り出すことができる。
また、開封用条体４が一対の帯状部３の略中央に配置されることで、ロール状に巻き回されてなる包装材原反１０の両端部（帯状部が貼着された領域）と中央部（開封用条体が貼着された領域）との厚みが略等しくなるため、ロール状の包装材原反１０が巻き崩れてしまうことを抑制することができる。
【００３７】
また、本実施形態にかかる包装材１は、帯状部３が複数の貫通孔３ａを備えることで、貫通孔３ａからシート本体２のヒートシール面Ｈが露出する。そして、この露出したヒートシール面Ｈは、物品を突き上げ包装する際に、包装材１の端部が集束されて重なり合うことによって、シート本体２のヒートシール面Ｈではない他方の面と対峙することとなる。該他方の面は、上述したように、弱いヒートシール性を有するため、集束した端部をヒートシールによって仮止めすることができる。
【００３８】
また、本実施形態にかかる包装材１は、複数の包装材１が帯状部３の長手方向に連続的に連なって長尺状に形成されてなる包装材原反１０から作製されることで、その長手方向にロール状に巻き回した状態で保管することができる。また、ロール状の包装材原反１０を長手方向に送り出しつつ所定のサイズに連続的に切断し、包装材１を作製することができるので、突き上げ包装を行なう際にも連続的に包装を行なうことができ、生産効率を向上させることができる。
【００３９】
なお、本発明にかかる包装材及び包装材原反は、上記実施形態に限定されるものではなく、本発明の要旨を逸脱しない範囲で種々の変更が可能である。
【００４０】
例えば、上記実施形態では、帯状部３がシート本体２と一体的に形成されているが、これに限定されるものではなく、図４に示すように、シート本体２に別体の帯状部３’を貼着するようにしてもよい。具体的には、帯状部３’は、シート本体２を構成する紙質シートと同一の紙質シートから構成される。より詳しくは、図５に示すように、紙質シート原反Ｓを長手方向に送り出しつつ、カッターＣによって、幅方向の両端部を所定の幅で切断し、シート本体２と帯状部３’とを同時に作製すると共に、シート本体２と帯状部３’とのヒートシール面Ｈ同士を対峙させてヒートシールによって貼着するようにしてもよい。
あるいは、上述のごとく、一つの紙質シート原反Ｓから切断されて長尺状に形成されたシート本体２と帯状部３’とをそれぞれロール状に巻き回して、シート本体２の巻取り原反と、帯状部３’の巻取り原反とを作製してもよい。また、紙質シート原反ＳをカッターＣで切断する前に、帯状部３’となる領域に貫通孔３’ａを形成する工程（図示せず）を設けるようにしてもよい。
また、シート本体２を構成する紙質シートと、帯状部３’を構成する紙質シートとが異なる紙質シートから構成されてもよい。具体的には、異なる２つの紙質シート原反Ｓを用い、一方がシート本体２の巻取り原反を構成し、他方が帯状部３’の巻取り原反を構成するようにしてもよい。
【００４１】
また、上記実施形態では、帯状部３は、シート本体２に重なり合う領域の全域に渡ってヒートシールされているが、これに限定されるものではなく、シート本体２と帯状部３との巻き癖が解消されるように貼着されればよい。例えば、帯状部３の幅方向の中央部に長手方向に向かって帯状部３の幅よりも狭い幅の帯状にヒートシールしてもよい。或いは、帯状部３の幅方向の端縁部がヒートシールされて貼着されてもよい。この場合、貫通孔３ａは、帯状にヒートシールされた領域に設けられてもよく、又は、ヒートシールされていない領域に設けられてもよい。
【００４２】
また、上記実施形態では、帯状部３には、貫通孔３ａが設けられているがこれに限定されるものではなく、物品を包装する際に仮止めが効果的に行なえるように構成されればよい。例えば、図６に示すように、複数の帯状部３’が、間隔をあけてシート本体２の他方向に向かって平行するように貼着されてもよい。
【００４３】
また、上記実施形態では、開封用条体４は、シート本体２の一方向に沿って（紙質シート原反Ｓの長手方向に相当する方向に沿って）貼着されているが、これに限定されるものではなく、シート本体２を構成する紙質シートのスキ目の方向、つまりは、引き裂き特性の方向に沿って設けられるようにしてもよい。例えば、スキ目の方向が紙質シート原反Ｓの幅方向に形成されている場合には、幅方向に沿って開封用条体４を設けてもよい。
【図面の簡単な説明】
【００４４】
【図１】本発明の実施形態にかかる包装材の斜視図。
【図２】同包装材が長尺状に連なって形成された包装材原反の斜視図。
【図３】（ａ）は、シート本体２と帯状部３とが貼着される前を示し、（ｂ）は、シート本体２と帯状部３とが貼着された後を示した図。
【図４】本発明の他の実施形態にかかる包装材の斜視図。
【図５】図４の実施形態にかかる包装材を作製する工程を示した図。
【図６】本発明の他の実施形態にかかる包装材の斜視図。
【符号の説明】
【００４５】
１…包装材、２…シート本体、３，３’…帯状部、３ａ，３’ａ…貫通孔、４…開封用条体、５…把持片、６…保持シート、１０…包装材原反、Ｃ…カッター、Ｈ…ヒートシール面、Ｓ…紙質シート原反
【図１】
2010042842.tif 000003
【図２】
2010042842.tif 000004
【図３】
2010042842.tif 000005
【図４】
2010042842.tif 000006
【図５】
2010042842.tif 000007
【図６】
2010042842.tif 000008